(57)【要約】  第１の装置と第２の装置との間のテレビ会議を強化するための、コンピュータ実装方法。この方法は第１の装置において仮想オブジェクトを受信することを含み、仮想オブジェクトはテレビ会議を強化するように構成され、また仮想オブジェクトはイベントに具体的に関連する。この方法はまた、前記仮想オブジェクトを前記テレビ会議に組み込むことを含む。
2014532330.tif 000002
【特許請求の範囲】
【請求項１】
第１の装置と第２の装置との間のテレビ会議を強化するためのコンピュータ実装方法であって、
前記第１の装置において、仮想オブジェクトであって、前記テレビ会議を強化するように構成され、またイベントに具体的に関連している、仮想オブジェクトを受信することと、
前記仮想オブジェクトを前記テレビ会議に組み込むことと、
を含む、コンピュータ実装方法。
【請求項２】
前記イベントは休日および特別な機会からなる群から選択される、請求項１に記載のコンピュータ実装方法。
【請求項３】
前記第１の装置のユーザに対して前記仮想オブジェクトを前記テレビ会議に組み込むように促すことをさらに含む、請求項１に記載のコンピュータ実装方法。
【請求項４】
前記第１の装置のユーザに対して前記仮想オブジェクトを前記テレビ会議に組み込むように前記促すことは、
前記イベントが生じる日の間、前記第１の装置の前記ユーザに対して前記仮想オブジェクトを前記テレビ会議に組み込むように促すことをさらに含む、請求項３に記載のコンピュータ実装方法。
【請求項５】
前記第１の装置のユーザと前記第２の装置のユーザとの間の可能な関係を判定することをさらに含む、請求項１に記載のコンピュータ実装方法。
【請求項６】
前記第１の装置のユーザに対して、前記判定された可能な関係を確認するように促すことをさらに含む、請求項５に記載のコンピュータ実装方法。
【請求項７】
前記第１の装置のユーザに対し、前記第１のユーザと前記第２の装置の第２のユーザとの間の関係に基づいて、前記仮想オブジェクトを前記テレビ会議に組み込むように促すことをさらに含む、請求項１に記載のコンピュータ実装方法。
【請求項８】
前記第２の装置において、前記テレビ会議に組み込まれた前記仮想オブジェクトを操作することをさらに含む、請求項１に記載のコンピュータ実装方法。
【請求項９】
前記第１の装置において、前記テレビ会議に組み込まれた前記仮想オブジェクトを操作することをさらに含む、請求項１に記載のコンピュータ実装方法。
【請求項１０】
実行されるとコンピュータ処理装置に対して、
前記第１の装置において、仮想オブジェクトであって、前記テレビ会議を強化するように構成され、またイベントに対して具体的に関連している、仮想オブジェクトを受信することと、
前記仮想オブジェクトを前記テレビ会議に組み込むことと、
を含む方法を実施させる記憶された命令を上に有する、有形のコンピュータ可読記憶媒体。
【請求項１１】
前記イベントは休日および特別な機会からなる群から選択される、請求項１０に記載の有形のコンピュータ可読記憶媒体。
【請求項１２】
前記第１の装置のユーザに対し、前記仮想オブジェクトを前記テレビ会議に組み込むように促すための命令をさらに含む、請求項１０に記載の有形のコンピュータ可読記憶媒体。
【請求項１３】
前記第１の装置のユーザに対し、前記仮想オブジェクトを前記テレビ会議に組み込むように前記促すことは、
前記イベントが生じる日の間、前記第１の装置の前記ユーザに対し、前記仮想オブジェクトを前記テレビ会議に組み込むように促すことをさらに含む、請求項１２に記載の有形のコンピュータ可読記憶媒体。
【請求項１４】
前記第１の装置のユーザと前記第２の装置のユーザとの間の可能な関係を判定するための命令をさらに含む、請求項１２に記載の有形のコンピュータ可読記憶媒体。
【請求項１５】
前記第１の装置のユーザに対し、前記判定された可能な関係を確認するように促すための命令をさらに含む、請求項１４に記載の有形のコンピュータ可読記憶媒体。
【請求項１６】
前記第１の装置のユーザに対し、前記第１のユーザと前記第２の装置の第２のユーザとの間の関係に基づいて、前記仮想オブジェクトを前記テレビ会議に組み込むように促すための命令をさらに含む、請求項１０に記載の有形のコンピュータ可読記憶媒体。
【請求項１７】
前記第２の装置において、前記テレビ会議に組み込まれた前記仮想オブジェクトを操作するための命令をさらに含む、請求項１０に記載の有形のコンピュータ可読記憶媒体。
【請求項１８】
前記第１の装置において、前記テレビ会議に組み込まれた前記仮想オブジェクトを操作するための命令をさらに含む、請求項１０に記載の有形のコンピュータ可読記憶媒体。
【発明の詳細な説明】
【技術分野】
【０００１】
本出願は、「ＡＵＧＭＥＮＴＩＮＧ  Ａ  ＶＩＤＥＯ  ＣＯＮＦＥＲＥＮＣＥ」という名称で２０１１年２月１１日に出願され、本発明の譲受人に譲渡された係属中の米国特許出願第１３／０２５，９４３号（代理人整理番号ＴＮＧＯ−００８）の一部係属出願であり、本出願は、参照によってその全体が本明細書に組み込まれる。
【背景技術】
【０００２】
テレビ会議の参加者は、音声／映像信号を互いに送信することによって、互いに通信する。例えば、参加者は、双方向の映像および音声送信を介して同時に対話することが可能である。しかしながら、参加者は、マイクロフォンによってキャプチャされるキャプチャされた音声、およびビデオカメラによってキャプチャされる映像信号に基づくのみでは、互いに通信を行おうとしていることを十分に表現することができない場合がある。
【発明の概要】
【０００３】
要約すると、本著は第１の装置と第２の装置との間のテレビ会議を強化するためのコンピュータ実装方法を提供する。この方法は第１の装置において仮想オブジェクトを受信することを含み、仮想オブジェクトはテレビ会議を強化するように構成され、また仮想オブジェクトはイベントに具体的に関連する。この方法はまた前記仮想オブジェクトを前記テレビ会議に組み込むことを含む。
【図面の簡単な説明】
【０００４】
【図１】本発明の実施形態に従う装置例を例示する。
【図２】本発明の実施形態に従う装置例を例示する。
【図６】本発明の実施形態に従う装置例を例示する。
【０００５】
【図３】強化されたテレビ会議を提供するための方法の実施形態を例示する。
【図７】強化されたテレビ会議を提供するための方法の実施形態を例示する。
【０００６】
【図４】テレビ会議を強化するための方法の実施形態を例示する。
【図５】テレビ会議を強化するための方法の実施形態を例示する。
【図８】テレビ会議を強化するための方法の実施形態を例示する。
【図９】テレビ会議を強化するための方法の実施形態を例示する。
【０００７】
本記述において参照される図面は、具体的に注意書きがなされている場合を除き、原寸に比例して描かれてはいないことを理解されたい。
【発明を実施するための形態】
【０００８】
ここで本技術の実施形態を詳細に参照し、その例が付随する図面に例示されている。本技術は様々な実施形態との関係において記述されるが、それらは本技術をそれらの実施形態に限定する意図ではないことを理解されるであろう。反対に、本技術は代替物、修正品、および同等品を網羅することが意図されており、それらは、添付される請求項によって定義される通り、様々な実施形態の趣旨および範囲内に含まれ得る。
【０００９】
さらに、実施形態の以下の記述において、本技術の完全な理解を提供するために数多くの具体的詳細が明記されている。しかしながら、本技術はそれらの具体的詳細なしで実践され得る。他の例では、本実施形態の態様を不必要に不明瞭としないために、よく知られた方法、手順、構成要素、および回路は詳細には記述されていない。
【００１０】
図１は装置１００の実施形態を描写する。装置１００はテレビ会議に参加するために構成される。図２はテレビ会議に参加する装置１００および２００を描写する。一般的には、テレビ会議は双方向の映像および音声の送信を介して２つまたはそれ以上の場所が同時に対話することを可能とする。
【００１１】
以下の説明は最初に装置１００の構成要素を記述する。説明は次に、装置１００と２００との間のテレビ会議中の装置１００の構成要素の機能性を記述する。装置１００および２００はテレビ会議に参加することのできる任意の通信装置（例えば、ラップトップ、デスクトップ等）である。様々な実施形態において、装置１００はスマートフォン、携帯用情報端末（ＰＤＡ）等の携帯移動式装置である。
【００１２】
さらに、明瞭さおよび簡潔さのために、説明は装置１００の構成要素および機能性に焦点を当てる。しかしながら、装置２００は装置１００と類似方法で動作する。１つの実施形態においては、装置２００は装置１００と同一であり、そして装置１００と同一の構成要素を含む。
【００１３】
装置１００は、表示装置１１０、仮想オブジェクト受信装置１２０、仮想オブジェクト組み込み装置１３０、送信装置１４０、カメラ１５０、マイクロフォン１５２、およびスピーカ１５４を含む。装置１００は任意選択により全地球測位システム１６０および仮想オブジェクト生成装置１７０を含む。
【００１４】
表示装置１１０は、装置２００においてキャプチャされる映像を表示するように構成される。別の実施形態においては、表示装置１１０はさらに装置１００においてキャプチャされる映像を表示するために構成される。
【００１５】
仮想オブジェクト受信装置１２０は、仮想オブジェクトにアクセスするために構成される。仮想オブジェクトはテレビ会議を強化するために構成され、これは以下において詳細に記述される。
【００１６】
仮想オブジェクト組み込み装置１３０は、仮想オブジェクトをテレビ会議に組み込むように構成される。例えば、仮想オブジェクト組み込み装置１３０は、装置１００および／または装置２００においてキャプチャされる映像に仮想オブジェクトを組み込むように構成される。
【００１７】
送信装置１４０はデータ（例えば、仮想オブジェクト制御コード）を送信するためのものである。
【００１８】
仮想オブジェクト操作装置１３５は、テレビ会議における仮想オブジェクトの操作を可能なように構成される。
【００１９】
カメラ１５０は装置１００における映像をキャプチャするためのものである。マイクロフォン１５２は装置１００における音声をキャプチャするためのものである。スピーカ１５４は装置１００における可聴信号を生成するためのものである。
【００２０】
全地球測位システム１６０は装置１００の場所を判定するためのものである。
【００２１】
仮想オブジェクト生成装置１７０は仮想オブジェクトを生成するためのものである。
【００２２】
ここで図２を参照すると、装置１００および２００が互いにテレビ会議に参加している。様々な実施形態においては、２つ以上の装置が互いにテレビ会議に参加する。
【００２３】
テレビ会議中、ビデオカメラ２５０は装置２００における映像をキャプチャする。例えば、ビデオカメラ２５０は装置２００のユーザ２０５の映像をキャプチャする。
【００２４】
ビデオカメラ１５０は装置１００における映像をキャプチャする。例えば、ビデオカメラ１５０はユーザ１０５の映像をキャプチャする。ビデオカメラ１５０および２５０はカメラ１５０および２５０のそれぞれの視野範囲内の如何なるオブジェクトもキャプチャすることは十分に理解されるべきである。
【００２５】
マイクロフォン１５２は装置１００におけるキャプチャされる映像信号に相当する音声信号をキャプチャする。同様に、装置２００のマイクロフォンは、装置２００におけるキャプチャされる映像信号に相当する音声信号をキャプチャする。
【００２６】
装置２００においてキャプチャされる映像は、装置１００の表示装置１１０に送信され、表示される。例えば、ユーザ２０５の映像は、表示装置１１０の第１のビュー１１２上に表示される。さらに、ユーザ２０５の映像は、表示装置２１０の第２のビュー２１４上に表示される。
【００２７】
装置１００においてキャプチャされる映像は、装置２００の表示装置２１０に送信され、表示される。例えば、ユーザ１０５の映像は、表示装置２１０の第１のビュー２１２上に表示される。さらに、ユーザ１０５の映像は、表示装置１１０の第２のビュー１１４上に表示される。
【００２８】
１つの実施形態においては、装置１００および２００においてキャプチャされる音声信号は、キャプチャされる映像に組み込まれる。別の実施形態では、音声信号は、送信される映像とは別に送信される。
【００２９】
描写されているように、第１のビュー１１２は表示装置１１０上に表示される一次ビューであり、第２のビュー１１４は表示装置１１０上に表示される小さい方の二次ビューである。様々な実施形態において、第１のビュー１１２と第２のビュー１１４のサイズは両方とも調整可能である。例えば、第２のビュー１１４を一次ビューに拡大することは可能であり、ビュー１１２のサイズを減じて二次ビューにすることが可能である。さらに、ビュー１１２および１１４のいずれか１つは、閉じたり、または完全に減じて不可視とすることができる。
【００３０】
仮想オブジェクト受信装置１２０は、テレビ会議を強化するための仮想オブジェクト１９０を受信する。仮想オブジェクトは、サーバまたは装置２００から受信可能である。仮想オブジェクトは異なる時において受信可能である。例えば、仮想オブジェクトは強化アプリケーションが装置１００にダウンロードされたとき、ログイン中、またはリアルタイムで受信可能であり、その時仮想オブジェクトはテレビ会議に組み込まれるように命じられる。
【００３１】
図２および６に描写される仮想オブジェクト１９１（例えば、星、ヤシの木、花、雨雲）は仮想オブジェクトの多数の例のほんの数例である。仮想オブジェクトはテレビ会議を強化することのできる任意のオブジェクトであり得ることは十分に理解されるべきである。言い換えれば、仮想オブジェクトは、テレビ会議の参加者の間の通信を補完することができる任意のオブジェクトであり得る。例えば、仮想オブジェクトは、これらには限定されないが、口づけ、ハート、絵文字、ハイタッチ、背景（プリクラのような効果）、色空間変更、および／または画像処理変更（例えば、痩せさせる、太らせる）であり得る。
【００３２】
仮想オブジェクトは可視的仮想オブジェクトには限定されないことも評価されるべきである。例えば、仮想オブジェクトは複数のサウンドの１つが可能である。
【００３３】
１つの実施形態においては、仮想オブジェクト１９１はユーザ１０５が見るための表示装置１１０上に表示される。例えば、仮想オブジェクト１９１は仮想オブジェクトバー１９２上に表示される。１つの実施形態においては、仮想オブジェクトバー１９２は第１のビュー１１２にオーバーレイされる。別の実施形態では、仮想オブジェクトバー１９２は第１のビュー１１２および／または第２のビュー１１４と同時に表示される。
【００３４】
様々な実施形態において、仮想オブジェクトバー１９２は、これらに限定されないが、キー入力、カーソルの移動、タッチスクリーン上の検出されたタッチ、およびユーザによる指定された動作（例えば、表情、ウィンク、投げキッス、手振り等）等のユーザ入力に応答して表示される。
【００３５】
仮想オブジェクト組み込み装置１３０は、テレビ会議への仮想オブジェクト１９０の組み込みを容易にする。１つの実施形態においては、装置１００において、仮想オブジェクト組み込み装置１３０は仮想オブジェクト１９０を装置２００においてキャプチャされる映像に組み込む。例えば、仮想オブジェクト１９０はユーザ２０５の頭の上に組み込まれる。それゆえ、描写されているように、装置２００においてキャプチャされる映像はオブジェクト１９０が組み込まれ、強化された映像が少なくとも装置２００において表示される。また、組み込まれた仮想オブジェクト１９０を有する強化された映像は、装置１００において表示される。
【００３６】
１つの実施形態においては、ユーザ１０５は仮想オブジェクトバー１９２内の仮想オブジェクト１９０を選択し、ユーザ１０５により指定された場所（例えば、第１のビュー１１２に表示されるように、ユーザ２０５の頭の上に）まで仮想オブジェクト１９０をドラッグし、配置する。指定された場所に配置されると、仮想オブジェクト組み込み装置１３０は仮想オブジェクトを指定された場所に組み込む。
【００３７】
別の実施形態においては、仮想オブジェクト組み込み装置１３０は制御コードを生成する。この制御コードは、仮想オブジェクト１９０が装置２００においてキャプチャされる映像内にどのように組み込まれるかを命じる。
【００３８】
例えば、制御コードを直接装置２００に送信し、装置２００において表示される映像にどのように仮想オブジェクト１９０が組み込まれるかを装置２００に対して命じることが可能である。そのような例では、制御コードは装置２００に対し、仮想オブジェクト１９０がテレビ会議において表示されることを信号で伝える、または命じる。別の例では、制御コードはサーバに送信され、次に装置２００はサーバから制御コードを受信する。
【００３９】
図２は、テレビ会議に組み込まれた仮想オブジェクト１９０を描写する。しかしながら、任意の数の仮想オブジェクトが任意の時点においてテレビ会議に組み込まれ得ることは十分に理解されるべきである。例えば、５つの異なる仮想オブジェクトが同時にテレビ会議に組み込まれ得る。
【００４０】
本明細書中で使用される用語「組み込む」は、仮想オブジェクトが単にテレビ会議のある部分と共に表示されることを記述するために使用されることは、十分に理解されるべきである。そのようなわけで、仮想オブジェクトは単にテレビ会議のある部分と同時に表示される。したがって、仮想オブジェクトは映像に組み込まれ、仮想オブジェクトを含むことを理解されたい。しかしながら、仮想オブジェクトはビデオストリームに統合される、またはその一部となるとは理解されてはならない。
【００４１】
１つの実施形態においては、仮想オブジェクトは映像にオーバーレイとして重ねられる。したがって、仮想オブジェクトは装置１００および２００上に表示されるオーバーレイとして、同時に重ねられる。例えば、仮想オブジェクトはビュー１１２およびビュー２１４において表示される映像上に（図２に描写されるように）同時にオーバーレイされ、そして仮想オブジェクトはビュー１１４およびビュー２１２において表示される映像上に（図６に描写されるように）同時にオーバーレイされ得る。
【００４２】
別の実施形態においては、仮想オブジェクトはテレビ会議のビットストリーム中に統合される。
【００４３】
別の例においては、仮想オブジェクトはビュー１１２およびビュー２１２において表示される映像上に同時にオーバーレイされる。また、仮想オブジェクトは装置におけるビューから独立して表示装置の一部に表示され、双方向の映像がアクティブであることは必要としない（例えば、一方向映像がアクティブであり得る）。
【００４４】
本明細書に記述される様々な実施形態は、互いの組み合わせにおいてもまた使用可能であることに注目されたい。すなわち、１つの記述された実施形態は１つ以上の他の記述された実施形態と組み合わせて使用可能である。
【００４５】
１つの実施形態においては、送信装置１４０はその後、すでに仮想オブジェクト１９０を含む、装置２００においてキャプチャされる映像を第２の装置２００に送信し、したがって、仮想オブジェクト１９０を含む映像は表示装置２１０上に表示される。別の実施形態においては、送信装置１４０は制御コードを装置２００（またはサーバ）に送信し、仮想オブジェクト１９０がテレビ会議にどのように組み込まれるかを装置２００に対して命じる。
【００４６】
仮想オブジェクト操作装置１３５は、組み込まれた仮想オブジェクト１９０を操作する。１つの実施形態においては、仮想オブジェクト１９０は装置１００において操作される。例えば、タッチスクリーンにおけるユーザの入力に応答して、ユーザ１０５は仮想オブジェクト１９０を時計方向に回転させる。その結果、装置２００においてキャプチャされた（そして装置１００および／または装置２００上に表示された）映像は強化されて仮想オブジェクトは時計方向に回転する。
【００４７】
別の実施形態においては、仮想オブジェクト１９０は装置２００において操作される。例えば、ユーザ２０５が彼の頭を左から右へ動かすことに応答して、仮想オブジェクト１９０は操作され（装置２００の仮想オブジェクト操作装置を介して）、したがって、ユーザ２０５の頭の動きにつれて左から右に動く。したがって、装置２００においてキャプチャされた（そして装置１００および／または装置２００上で表示された）映像は強化されて仮想オブジェクト１９０は左から右へ動かされる。
【００４８】
さらなる実施形態においては、仮想オブジェクト１９０は装置１００および装置２００において同時に操作される。例えば、ユーザ２０５が彼の頭を左から右へ動かし、かつユーザ１０５が仮想オブジェクト１９０を回転させる（前述のように）ことに応答して、仮想オブジェクト１９０は、ユーザ２０５の頭の動きにつれて左から右へ動き、そしてユーザ１０５からの入力に応答して同時に回転するように操作される。したがって、装置２００においてキャプチャされた（そして装置１００および／または２００上で表示される）映像は強化され、仮想オブジェクト１９０は時計方向に回転しながら左から右へ動かされる。
【００４９】
さらなる実施形態においては、仮想オブジェクト１９０は指向的に操作される。例えば、ユーザ１０５は「パンチ」仮想オブジェクト（例えば、こぶし、ボクシングのグローブ）をユーザ２０５に送信する。それに応じて、ユーザ１０５は「パンチ」仮想オブジェクトが表示装置１１０内に入っていくのを見、そしてユーザ２０５は「パンチ」仮想オブジェクトが表示装置２１０から出てくるのを見る。
【００５０】
仮想オブジェクトは多様な入力に応答して操作されることを十分に理解されるべきである。例えば、仮想オブジェクトは音、ジェスチャ、表情、動作等を介して操作可能である。様々な例としては、ユーザのウィンクに応答して仮想オブジェクト（例えば、星）がユーザの目から出てき、また、ユーザの口づけに応答して赤い唇がユーザの口から飛び出てくる。
【００５１】
１つの実施形態においては、前述のように、様々な入力の少なくとも１つが発生するまで、仮想オブジェクト１９１は表示装置１１０および／または仮想表示バー１９２上に表示されない。例えば、ハートの仮想オブジェクトは、タッチスクリーン上に２回のタップがあるまでは表示されない。
【００５２】
任意の数の仮想オブジェクトをアクセスし、および／または選択して、テレビ会議に組み込むことが可能である。１つの実施形態では、仮想オブジェクト１９１は地理関連仮想オブジェクトである。例えば、仮想オブジェクト１９１は装置１００および／または２００の場所に基づく。
【００５３】
具体的には、もしも装置１００がハワイに位置する場合、仮想オブジェクト１９１はその場所に関連する。例えば、地理に関連する仮想オブジェクトは、ＧＰＳ１６０から判定されたハワイにおける場所に基づき、サーフボード、太陽、ヤシの木、ココナッツ等であり得るが、これらに限定されない。
【００５４】
場所の判定は様々な方法によって提供可能であることを十分に理解されるべきである。例えば、装置の場所の判定は、登録時にユーザによって提供される情報、装置のＩＰアドレス、または場所の判定に使用可能な任意の他の方法に基づくことが可能である。
【００５５】
別の実施形態においては、仮想オブジェクト１９１は、テレビ会議の時間に基づく時間関連仮想オブジェクトである。例えば、テレビ会議がクリスマスの日またはその前後に発生する場合、仮想オブジェクトはクリスマスに関連するであろう（例えば、靴下、クリスマスツリー、お菓子の杖等）。別の例では、テレビ会議が夜行われる場合には、仮想オブジェクトは夜に関連するであろう（例えば、月、星、パジャマ等）。
【００５６】
さらなる実施形態においては、仮想オブジェクト１９１は文化関連仮想オブジェクトである。例えば、ユーザ１０５および／または２０５がカナダに位置する場合は、仮想オブジェクト１９１は、これらには限定されないが、カナダ国旗、ホッケーのパック、カーリング用ストーン等であり得る。
【００５７】
別の実施形態においては、仮想オブジェクト１９１はユーザ作成仮想オブジェクトである。例えば、ユーザ１０５および／または２０５は、手作業で仮想オブジェクトを作成し、次に仮想オブジェクト生成装置１７０は、その作成を利用してユーザ生成仮想オブジェクトを生成する。
【００５８】
さらに別の実施形態においては、仮想オブジェクト１９１は口座の状態に基づいて利用可能および／またはアクセスされる。例えば、ユーザ１０５は仮想オブジェクト１９１にアクセスするための、支払うべき口座を有する。もしもユーザ１０５がその口座に対して十分な支払いを提供した場合には、ユーザ１０５は仮想オブジェクト１９１にアクセスできる。反対に、ユーザがその口座に対して十分な支払いを提供しなかった場合には、ユーザ１０５は仮想オブジェクト１９１にアクセスできない。
【００５９】
さらに、仮想オブジェクトの使用および選択は、イベント、休日、特別な機会等に具体的に関連し得る。休日は、これらに限定されないが、宗教的休日（例えば、クリスマス、復活祭、贖罪の日等）、国の休日（例えば、新年、ワシントン大統領誕生日、戦没将兵追悼記念日等）または任意の他の振替休日（公式または非公式）であり得る。イベントまたは特別な機会は、これらに限定されないが、誕生日、記念日、卒業式、結婚式、就職、退職等があり得る。
【００６０】
例えば、感謝祭当日または前後において、七面鳥、かぼちゃパイ、巡礼者等の仮想オブジェクトが選択および／または使用される。別の例では、聖パトリックの祭日またはその前後において、クローバ、金のポット、および小妖精の仮想オブジェクトが選択および／または使用される。さらなる例においては、復活祭当日または前後において、復活祭のうさぎおよび復活祭の卵の仮想オブジェクトが選択および／または使用される。
【００６１】
１つの実施形態において、ユーザはイベント、休日、特別な機会等に具体的に関連する仮想オブジェクトを利用するように促される。例えば、米国独立記念日またはその前後において、ユーザは米国独立記念日に具体的に関連する仮想オブジェクト（例えば、花火）を選択および／または使用するように促される。具体的には、ユーザに仮想オブジェクトが提供され、そしてそのユーザはその仮想オブジェクトをテレビ会議中の別のユーザに送信するように促される。言い換えれば、仮想オブジェクトはテレビ会議に組み込まれる。
【００６２】
別の実施形態においては、ユーザは、当事者間の関係が疑わしい、既知である、または推察される場合には、もう一方のユーザに仮想オブジェクトを送信するように促され得る。例えば、母親が彼女の息子とテレビ会議を通して話をしている。もしも母／息子の関係が疑わしい、既知である、または推察される場合には、息子は母の日に具体的に関連する仮想オブジェクト（例えば、花）を利用するように促される。
【００６３】
関係は様々な方法で判定可能である。例えば、これらには限定されないが、苗字、ユーザの場所、通話記録等に基づいて、関係は判定可能である。
【００６４】
さらに、息子は、「これはあなたの母親であると思われる。正しいか？」等のメッセージで促され得る。そのような場合、もしもその息子が自分は母親と話していると応答した場合には、息子は母の日に具体的に関連する仮想オブジェクト（例えば、花）を利用するように促される。
【００６５】
仮想オブジェクトは収益源を強化可能であることも十分に理解されるべきである。例えば、１００，０００個の仮想オブジェクトがバレンタインデーに使用され、各仮想オブジェクトの料金は＄０．５０である。その結果、バレンタインデーには＄５０，０００の料金が蓄積される。
【００６６】
図３〜５は、それぞれ方法３００〜５００の実施形態を描写する。様々な実施形態において、方法３００〜５００は、コンピュータ可読およびコンピュータ実行可能命令の制御の下で、処理装置および電気構成要素によって実施される。コンピュータ可読およびコンピュータ実行可能命令は、例えば、コンピュータが使用可能な揮発性および非揮発性メモリ等のデータ記憶媒体内に常駐する。しかしながら、コンピュータ可読およびコンピュータ実行可能命令は、任意のタイプのコンピュータ可読記憶媒体内に常駐し得る。いくつかの実施形態においては、方法３００〜５００は、図１および２に記述されるように、装置１００および／または装置２００によって実施される。
【００６７】
ここで図３を参照すると、方法３００の３１０において、仮想オブジェクトは第１の装置によってアクセス可能とされており、第１の装置は第２の装置とのテレビ会議に参加するために構成されている。例えば、仮想オブジェクト１９０は装置１００によりアクセス可能とされ、装置１００は少なくとも装置２００とのテレビ会議に参加するように構成される。
【００６８】
３２０において、仮想オブジェクトは第２の装置においてキャプチャされるテレビ会議の映像内に組み込み可能とされ、仮想オブジェクトを含む映像は第２の装置において表示されるように構成される。例えば、仮想オブジェクト１９０は装置２００においてユーザ２０５をキャプチャした映像に組み込み可能とされ、そして装置２００において表示される。
【００６９】
３３０において、仮想オブジェクトを含む映像は、第１の装置から第２の装置へ送信可能とされる。例えば、仮想オブジェクト１９１の任意の１つを含む映像の送信は、装置２００に対して送信装置１４０により送信可能とされる。
【００７０】
３４０において、仮想オブジェクトを含む映像の同時表示は、第１の装置および第２の装置において可能とされる。例えば、オブジェクト１９０を含む映像は、装置１００および２００において同時に表示可能とされる。
【００７１】
３５０において、第１の装置および第２の装置における、組み込まれた仮想オブジェクトの協同的操作が可能とされる。例えば、ユーザ２０５は第２のビュー２１４における仮想オブジェクト１９０と対話し、ユーザ１０５も第１のビュー１１２における仮想オブジェクトと協同的に対話する。
【００７２】
ここで図４を参照すると、方法４００の４１０において、仮想オブジェクトにアクセスするための命令が受信される。例えば、ユーザ入力（例えば、キー入力、カーソル移動、タッチスクリーン上の検出されたタッチ等）に応答して、仮想オブジェクト１９０にアクセスするために命令が受信される。様々な実施形態では、仮想オブジェクト（複数可）は、これらに限定されないが、地理関連仮想オブジェクト、時間関連仮想オブジェクト、文化関連仮想オブジェクト、および／またはユーザ作成仮想オブジェクトであり得る。
【００７３】
４２０において、仮想オブジェクトはテレビ会議に組み込まれ、その仮想オブジェクトは第１の装置によりアクセスされ、そして第２の装置において表示されるように構成される。例えば、仮想オブジェクト１９０は装置１００においてアクセスされ、そして装置１００において装置２００においてキャプチャされた映像に組み込まれる。組み込まれた仮想オブジェクト１９０を含む映像は、装置２００において表示されるように構成される。
【００７４】
別の例では、ユーザ１０５は、第１のビュー１１２において唇の場所をユーザ１０５の頬の上に指定することにより、唇の仮想オブジェクト（口づけを意味する）をユーザ２０５の頬の上に置くことができる。したがって、唇の仮想オブジェクトは装置２００においてキャプチャされた映像内に組み込まれ、そして装置１００および２００上に表示される。唇の仮想オブジェクトはテレビ会議の継続中に組み込まれ得り、または指定された継続時間組み込まれ得る。
【００７５】
１つの実施形態においては、４２２において、タッチスクリーン表示装置上のユーザ入力に応答して、仮想オブジェクトがテレビ会議に組み込まれる。例えば、装置１００のタッチスクリーン表示装置上のユーザ入力に応答して、仮想オブジェクトはテレビ会議に組み込まれる。
【００７６】
４３０において、組み込まれた仮想オブジェクトを含むテレビ会議の映像は、第２の装置に送信される。例えば、仮想オブジェクトを含む映像は、送信装置１４０を介して装置２００に送信される。
【００７７】
４４０において、第２の装置においてキャプチャされたテレビ会議の映像は、第１の装置において表示される。例えば、装置２００におけるユーザ２０５の映像は、装置２００においてキャプチャされ、装置１００において表示される。
【００７８】
４５０において、テレビ会議に組み込まれた仮想オブジェクトは、第２の装置において操作される。例えば、ユーザ２０５は、仮想オブジェクト１９０を回転させることによって、第２のビュー２１４内に表示される仮想オブジェクト１９０と対話する。
【００７９】
４６０において、テレビ会議に組み込まれた仮想オブジェクトは、第１の装置において操作される。例えば、ユーザ１０５は、仮想オブジェクト１９０のサイズを減じることにより、第１のビュー１１２内に表示される仮想オブジェクト１９０と対話する。
【００８０】
１つの実施形態においては、４６５において、携帯装置のタッチスクリーン表示装置において受信されるユーザ入力に応答して、テレビ会議に組み込まれた仮想オブジェクトが操作される。例えば、装置１００はタッチスクリーン表示装置を備えた携帯装置（例えば、携帯電話）である。したがって、ユーザ１０５によるタッチスクリーン表示装置へのタッチに応答して、仮想オブジェクト１９０のサイズが減じられる。
【００８１】
４７０において、テレビ会議に組み込まれた仮想オブジェクトは、第１の装置および第２の装置において協同的に操作される。例えば、ユーザ２０５は彼の頭を左から右に動かし、それによって、仮想オブジェクト１９０は頭の動きを追跡する。また、ユーザ１０５は、仮想オブジェクト１９０がユーザ２０５の頭の動きを追跡している間、仮想オブジェクト１９０を協同的に回転させる。
【００８２】
４８０において、第２の装置においてキャプチャされたテレビ会議の映像と仮想オブジェクトは、第１の装置において同時に表示される。例えば、組み込まれた仮想オブジェクト１９０を含む第２の装置２００においてキャプチャされた映像は、第１のビュー１１２に同時に表示される。
【００８３】
４９０において、第１の装置においてキャプチャされた第１の映像と第２の装置においてキャプチャされた第２の映像は、第１の装置において同時に表示される。例えば、装置２００においてキャプチャされた映像は、第１のビュー１１２に表示され、装置１００においてキャプチャされた映像は、同時に第２のビュー１１４に表示される。
【００８４】
ここで図５を参照すると、方法５００の５１０において、第２の装置においてキャプチャされた映像が第１の装置上で表示される。
【００８５】
５１５において、仮想オブジェクトは第１の装置において受信され、仮想オブジェクトはテレビ会議を強化するように構成される。様々な実施形態において、仮想オブジェクト（複数可）は、これらに限定されないが、地理関連仮想オブジェクト、時間関連仮想オブジェクト、文化関連仮想オブジェクト、および／またはユーザ生成仮想オブジェクトであり得る。
【００８６】
５２０において、仮想オブジェクトが第２の装置においてキャプチャされた映像に組み込まれる。例えば、仮想オブジェクト１９０は装置２００でキャプチャされた映像に組み込まれ、仮想オブジェクト１９０はユーザ２０５の頭上に配置され、ユーザ２０５の頭の動きを追跡する。
【００８７】
１つの実施形態では、５２２において、タッチスクリーン表示装置におけるユーザ入力に応答して、仮想オブジェクトは第２の装置でキャプチャされた映像に組み込まれる。例えば、装置１００のタッチスクリーン表示装置におけるユーザ１０５の入力に応答して、任意の数の仮想オブジェクトが装置２００においてキャプチャされた映像に組み込まれる。
【００８８】
５３０において、仮想オブジェクトを含む映像は、第２の装置で表示可能とされる。５３５において、仮想オブジェクトを含む映像は、第２の装置に送信される。
【００８９】
５４０において、第２の装置においてキャプチャされた映像に組み込まれる仮想オブジェクトは、第２の装置において操作される。例えば、ユーザ２０５は第２のビュー２１４に表示される仮想装置１９０の色を赤に変更する。
【００９０】
５４５において、第２の装置においてキャプチャされた映像に組み込まれる仮想オブジェクトは、第１の装置において操作される。例えば、ユーザ１０５は仮想装置１９０の場所を、ユーザ２０５の頭の頂部からユーザ２０５の左手に変更する。
【００９１】
１つの実施形態においては、５４７において、携帯移動式装置のタッチスクリーン表示装置において受信されたユーザ入力に応答して、第２の装置においてキャプチャされた映像に組み込まれた仮想オブジェクトは、操作される。例えば、装置１００のタッチスクリーン表示装置におけるユーザ入力に応答して、ユーザ１０５は仮想装置１９０を星（描写されるように）から電球（示されていない）に変更する。
【００９２】
５５０において、第２の装置においてキャプチャされた映像に組み込まれた仮想オブジェクトは、第１の装置および第２の装置において協同的に操作される。例えば、ユーザ２０５は第２のビュー２１４内の仮想オブジェクト１９０を操作し、ユーザ１０５は第１のビュー１１２内の仮想オブジェクトを協同的に操作する。
【００９３】
５５５において、仮想オブジェクトおよび第２の装置においてキャプチャされた映像は、第１の装置において同時に表示される。５６０において、第１の装置においてキャプチャされた映像と第２の装置においてキャプチャされた映像は、第１の装置において同時に表示される。
【００９４】
図６は、互いにテレビ会議に参加している装置１００および２００の実施形態を描写する。装置１００および２００は前述のように類似した方法で動作する。
【００９５】
テレビ会議中は、ビデオカメラ１５０が装置１００において映像をキャプチャする。例えば、ビデオカメラ１５０は装置１００のユーザ１０５の映像をキャプチャする。
【００９６】
ビデオカメラ２５０は装置２００において映像をキャプチャする。例えば、ビデオカメラ２５０はユーザ２０５の映像をキャプチャするが、彼は装置２００のユーザである。
【００９７】
装置１００でキャプチャされた映像は装置１００の表示装置１１０上に表示される。例えば、ユーザ１０５の映像は、表示装置１１０上に表示される第２のビュー１１４に表示される。さらに、ユーザ２０５の映像は、表示装置１１０上の第１のビュー１１２に表示される。
【００９８】
仮想オブジェクト受信装置１２０は、テレビ会議に参加するユーザ１０５および２０５の間のテレビ会議を強化するために、仮想オブジェクト１９０を受信する。
【００９９】
仮想オブジェクト１９１は、ユーザ１０５による閲覧のために表示装置１１０上に表示される。例えば、仮想オブジェクト１９１は仮想オブジェクトバー１９２上に表示される。１つの実施形態においては、仮想オブジェクトバー１９２は第１のビュー１１２とオーバーレイされる。別の実施形態では、仮想オブジェクトバー１９２は第１のビュー１１２および／または第２のビュー１１４と同時に表示される。
【０１００】
仮想オブジェクト組み込み装置１３０は、仮想オブジェクト１９０をテレビ会議に組み込む。具体的には、装置１００において、仮想オブジェクト１９０は装置１００においてキャプチャされた映像に組み込まれる。例えば、仮想オブジェクト１９０はユーザ１０５の頭上に組み込まれる。それゆえ、描写されているように、装置１００でキャプチャされた映像はオブジェクト１９０が組み込まれ、強化された映像は少なくとも装置２００において表示される。また、仮想オブジェクト１９０を組み込まれた強化された映像は、装置１００において同時に表示される。
【０１０１】
１つの実施形態においては、ユーザ１０５は仮想オブジェクトバー１９０内の仮想オブジェクト１９０を選択し、仮想オブジェクト１９０をユーザ１０５によって指定された場所（例えば、描写されているようにユーザ１０５の頭上）までドラッグし、配置する。指定された場所に配置されると、仮想オブジェクト組み込み装置１３０は仮想オブジェクトを指定された場所に組み込む。
【０１０２】
次に送信装置１４０は装置１００においてキャプチャされた映像を第２の装置２００に送信し、これは現在仮想オブジェクト１９０を含んでおり、仮想オブジェクト１９０を含む映像は表示装置２１０上に表示される。
【０１０３】
装置２００の仮想オブジェクト操作装置は、組み込まれた仮想オブジェクト１９０を操作する。例えば、タッチスクリーンにおけるユーザ２０５のユーザ入力に応答して、ユーザ２０５は仮想オブジェクト１９０を時計方向に回転させる。したがって、装置１００でキャプチャされた映像（装置２００および／または装置１００上に表示される）は強化されて、仮想オブジェクトは時計方向に回転する。
【０１０４】
別の実施形態においては、仮想オブジェクト１９０は装置１００において操作される。例えば、ユーザ１０５が彼の頭を左から右に動かすことに応答して仮想オブジェクト１９０は操作され（仮想オブジェクト操作装置１３５を介して）、ユーザ１０５の頭の動きにつれて左から右へと動く。したがって、装置１００においてキャプチャされた画像（装置１００および／または装置２００上で表示される）は、強化されて仮想オブジェクト１９０は左から右へ動かされる。
【０１０５】
さらなる実施形態においては、仮想オブジェクト１９０は装置１００および装置２００において同時に操作される。例えば、ユーザ１０５が彼の頭を左から右に動かし、またユーザ２０５が仮想オブジェクト１９０を回転させることに応答して、仮想オブジェクト１９０は操作され、ユーザ１０５の頭の動きにつれて左から右に同時に動き、ユーザ２０５からの入力に応答して回転する。したがって、装置１００においてキャプチャされた画像（装置１００および／または装置２００上で表示される）は強化され、仮想オブジェクト１９０は時計方向に回転しながら左から右へ動かされる。
【０１０６】
図７〜９は、それぞれ方法７００〜９００の実施形態を描写する。様々な実施形態において、方法７００〜９００はコンピュータ可読及びコンピュータ実行可能命令の制御の下で、処理装置および電気構成要素によって実行される。コンピュータ可読およびコンピュータ実行可能命令は、例えば、コンピュータが使用可能な揮発性および非揮発性メモリ等のデータ記憶媒体内に常駐する。しかしながら、コンピュータ可読およびコンピュータ実行可能命令は、任意のタイプのコンピュータ可読記憶媒体内に常駐し得る。いくつかの実施形態においては、方法７００〜９００は図１および６に記述されるように、装置１００および／または装置２００によって実施される。
【０１０７】
ここで図７を参照すると、方法３００の７１０において、仮想オブジェクトは第１の装置によってアクセス可能とされ、第１の装置は第２の装置と同時にテレビ会議に参加するように構成される。例えば、仮想オブジェクト１９０は装置１００によってアクセス可能とされ、装置１００は少なくとも装置２００と同時にテレビ会議に参加するように構成される。
【０１０８】
７２０において、仮想オブジェクトは第１の装置においてキャプチャされるテレビ会議の映像に組み込み可能とされ、仮想オブジェクトを含む映像は第２の装置において表示されるように構成される。例えば、仮想オブジェクト１９０はユーザ１０５の装置１００においてキャプチャされた映像に組み込み可能とされ、装置１００および２００において表示される。
【０１０９】
７３０において、仮想オブジェクトを含む映像は、第１の装置から第２の装置へ送信可能とされる。例えば、仮想オブジェクト１９１の任意の１つを含む映像の送信は、送信装置１４０によって装置２００へ送信可能とされる。
【０１１０】
７４０において、前記仮想オブジェクトを含む映像の同時表示は、第１の装置および第２の装置において可能とされる。例えば、オブジェクト１９０を含む映像は、装置１００および２００において同時に表示可能とされる。
【０１１１】
７５０において、組み込まれた仮想オブジェクトの第１の装置および第２の装置における協同的操作が可能とされる。例えば、ユーザ２０５は第１のビュー２１２内の仮想オブジェクト１９０と対話し、ユーザ１０５はまた第２のビュー１１４内の仮想オブジェクトと協同的に（または同時に）対話する。
【０１１２】
ここで図８を参照すると、方法８００の８１０において、仮想オブジェクトにアクセスするように命令が受信される。例えば、タッチスクリーン表示装置におけるユーザ入力に応答して、仮想オブジェクト１９０にアクセスするように命令が受信される。
【０１１３】
８２０において、仮想オブジェクトはテレビ会議に組み込まれ、その仮想オブジェクトは第２の装置のユーザによって操作される。例えば、仮想オブジェクト１９０は装置１００においてアクセスされ、そして装置１００において装置１００でキャプチャされた映像に組み込まれる。組み込まれた仮想オブジェクト１９０を含む映像は、装置２００において表示され操作されるように構成される。１つの実施形態においては、８２２において、タッチスクリーン表示装置上のユーザ入力に応答して、仮想オブジェクトはテレビ会議に組み込まれる。
【０１１４】
８３０において、組み込まれた仮想オブジェクトを含むテレビ会議の映像は、第２の装置に送信される。
【０１１５】
８４０において、第１の装置においてキャプチャされたテレビ会議は、第２の装置において表示される。例えば、装置１００におけるユーザ１０５の映像は、装置１００においてキャプチャされ、装置２００において表示される。
【０１１６】
８５０において、テレビ会議に組み込まれる仮想オブジェクトは、第２の装置において操作される。例えば、ユーザ２０５は、仮想オブジェクト１９０を回転させることにより、第１のビュー２１２内に表示される仮想オブジェクト１９０と対話する。
【０１１７】
１つの実施形態においては、８５５において、タッチスクリーン表示装置において受信されたユーザ入力に応答して、テレビ会議に組み込まれた仮想オブジェクトは、携帯移動式装置において操作される。例えば、装置２００はタッチスクリーン表示装置を備える携帯装置（例えば、携帯電話）である。したがって、ユーザ２０５のタッチスクリーン表示装置へのタッチに応答して、仮想オブジェクト１９０のサイズが減じられる。
【０１１８】
８６０において、テレビ会議に組み込まれた仮想オブジェクトは、第１の装置において操作される。例えば、ユーザ１０５は仮想オブジェクト１９０のサイズを減じることにより、第２のビュー１１４内に表示される仮想オブジェクト１９０と対話する。
【０１１９】
８７０において、テレビ会議に組み込まれた仮想オブジェクトは、第１の装置および第２の装置において協同的に操作される。例えば、ユーザ１０５は彼の頭を左から右へ動かし、仮想オブジェクト１９０は頭の動きを追跡する。また、ユーザ２０５は仮想オブジェクト１９０がユーザ１０５の頭の動きを追跡中に、協同的に仮想オブジェクト１９０を回転させる。
【０１２０】
８８０において、第２の装置においてキャプチャされたテレビ会議の映像と仮想オブジェクトが、第１の装置において同時に表示される。例えば、第２の装置２００においてキャプチャされた映像は、第１のビュー１１２上で表示され、組み込まれた仮想オブジェクト１９０を含む、装置１００においてキャプチャされた映像は同時に第２のビュー１１４上で表示される。
【０１２１】
８９０において、第１の装置においてキャプチャされた第１の映像と第２の装置においてキャプチャされた第２の映像は、第１の装置において同時に表示される。
【０１２２】
ここで図９を参照すると、方法９００の９１０において、第１の装置においてキャプチャされた映像が第１の装置上で表示される。
【０１２３】
９１５において、仮想オブジェクトが第１の装置において受信され、その仮想オブジェクトがテレビ会議を強化するように構成される。様々な実施形態において、仮想オブジェクト（複数可）は、これらに限定されないが、地理関連仮想オブジェクト、時間関連仮想オブジェクト、文化関連仮想オブジェクト、および／またはユーザ作成仮想オブジェクトであり得る。
【０１２４】
９２０において、仮想オブジェクトは第１の装置においてキャプチャされた映像に組み込まれる。例えば、仮想オブジェクト１９０は装置１００においてキャプチャされた映像に組み込まれ、その仮想オブジェクト１９０はユーザ１０５の頭上に配置され、そしてユーザ１０５の頭の動きを追跡する。
【０１２５】
１つの実施形態においては、９２２において、タッチスクリーン表示装置におけるユーザ入力に応答して、仮想オブジェクトは装置においてキャプチャされた映像に組み込まれる。例えば、装置１００のタッチスクリーン表示装置におけるユーザ１０５の入力に応答して、任意の数の仮想オブジェクトが装置１００においてキャプチャされた映像に組み込まれる。
【０１２６】
９３０において、仮想オブジェクトを含む映像は、第２の装置において表示可能とされ、その仮想オブジェクトは第２の装置において操作される。９３５において、仮想オブジェクトを含む映像は、第２の装置に送信される。
【０１２７】
９４０において、第１の装置においてキャプチャされた映像に組み込まれる仮想オブジェクトは、第２の装置において操作される。例えば、ユーザ２０５は、第１のビュー２１２内に表示される仮想装置１９０の色を赤に変更する。
【０１２８】
１つの実施形態においては、９４２において、携帯移動式装置のタッチスクリーン表示装置において受信されたユーザ入力に応答して、第１の装置においてキャプチャされた映像に組み込まれる仮想オブジェクトが操作される。例えば、装置２００のタッチスクリーン表示装置におけるユーザ入力に応答して、ユーザ２０５は仮想装置１９０を星（描写されるように）から電球（示されていない）に変更する。
【０１２９】
９４５において、第１の装置においてキャプチャされた映像に組み込まれる仮想オブジェクトは、第１の装置において操作される。例えばユーザ１０５は仮想装置１９０の場所を、ユーザ１０５の頭の頂部からユーザ１０５の左手に変更する。
【０１３０】
９５０において、第１の装置においてキャプチャされた映像に組み込まれる仮想オブジェクトは、第１の装置および第２の装置において協同的に操作される。例えば、ユーザ２０５は第１のビュー２１２内の仮想オブジェクト１９０を操作し、ユーザ１０５は第２のビュー１１４内の仮想オブジェクトを協同的に操作する。
【０１３１】
９５５において、仮想オブジェクトおよび第１の装置でキャプチャされた映像は、第１の装置において同時に表示される。５６０において、第１の装置においてキャプチャされた映像と第２の装置においてキャプチャされた映像は、第１の装置において同時に表示される。
【０１３２】
本発明の様々な実施形態がこのように記述される。本発明は特定の実施形態において記述されてきたが、本発明はその様な実施形態によって限定されるものと解釈されるべきではなく、以下の請求項に従って解釈されるべきことを十分に理解されたい。
【０１３３】
本明細書中に記述されるすべての要素、部分、およびステップは、望ましいものとして含まれている。当業者には明瞭なことではあるが、これらの要素、部分、およびステップのいずれも他の要素、部分、およびステップにより置き換え可能であり、あるいは完全に削除可能であることを理解されたい。
【０１３４】
当業者は理解するであろうが、本記述内で述べられる方法ステップは、それらには限定されないが、処理装置、少なくともキーボード、マウス、スキャナ、カメラを備える入力装置、少なくとも監視装置および印刷機を備える出力装置を含むハードウエアによって実行し得る。方法ステップは、必要時には、適切な装置によって実行される。例えば、決定ステップは、決定アルゴリズムを実装することにより、処理装置内の決定実施ユニットによって実行可能である。当業者は理解するであろうが、この決定実施ユニットは物理的にまたは効果的に、例えば前記決定アルゴリズムを実行するときに、コンピュータの処理装置内に存在可能である。上述の分析は、本明細書中に記述される他のステップに適用される。
【０１３５】
概念
本著は少なくとも以下の概念も開示する。
概念１  第１の装置と第２の装置との間のテレビ会議を強化するためのコンピュータ実装方法であって、
前記第１の装置において、仮想オブジェクトであって、前記テレビ会議を強化するように構成され、イベントに具体的に関連している、仮想オブジェクトを受信することと、
前記仮想オブジェクトを前記テレビ会議に組み込むことと、
を含む、コンピュータ実装方法。
概念２  前記イベントは、休日および特別な機会からなる群から選択される、概念１に記載のコンピュータ実装方法。
概念３  前記第１の装置のユーザに対して前記仮想オブジェクトを前記テレビ会議に組み込むように促すことをさらに含む、概念１または２に記載のコンピュータ実装方法。
概念４  前記第１の装置のユーザに対して前記仮想オブジェクトを前記テレビ会議に組み込むように前記促すことは、
前記イベントが生じる日の間、前記仮想オブジェクトを前記テレビ会議に組み込むように、前記第１の装置の前記ユーザに対して促すことをさらに含む、概念３に記載のコンピュータ実装方法。
概念５  前記第１の装置のユーザと前記第２の装置のユーザとの間の可能な関係を判定することをさらに含む、概念１〜４のいずれか１つに記載のコンピュータ実装方法。
概念６  前記第１の装置のユーザに対して、前記判定された可能な関係を確認するように促すことをさらに含む、概念５に記載のコンピュータ実装方法。
概念７  前記第１の装置のユーザに対し、前記第１のユーザと前記第２の装置の第２のユーザとの間の関係に基づき、前記仮想オブジェクトを前記テレビ会議に組み込むように促すことをさらに含む、概念１〜６のいずれか１つに記載のコンピュータ実装方法。
概念８  前記第２の装置において、前記テレビ会議に組み込まれた前記仮想オブジェクトを操作することをさらに含む、概念１〜７のいずれか１つに記載のコンピュータ実装方法。
概念９  前記第１の装置において、前記テレビ会議に組み込まれた前記仮想オブジェクトを操作することをさらに含む、概念１〜８のいずれか１つに記載のコンピュータ実装方法。
概念１０  実行されるとコンピュータ処理装置に対して、
前記第１の装置において、仮想オブジェクトであって、前記テレビ会議を強化するように構成され、かつイベントに具体的に関連している、仮想オブジェクトを受信することと、
前記仮想オブジェクトを前記テレビ会議に組み込むことと、
を含む方法を実施させる記憶された命令を上に有する、有形のコンピュータ可読記憶媒体。
概念１１  前記イベントは、休日および特別な機会からなる群から選択される、概念１０に記載の有形のコンピュータ可読記憶媒体。
概念１２  前記第１の装置のユーザに対し、前記仮想オブジェクトを前記テレビ会議に組み込むように促すための命令をさらに含む、概念１０または１１に記載の有形のコンピュータ可読記憶媒体。
概念１３  前記第１の装置のユーザに対し、前記仮想オブジェクトを前記テレビ会議に組み込むように前記促すことは、
前記イベントが生じる日の間、前記第１の装置の前記ユーザに対し、前記仮想オブジェクトを前記テレビ会議に組み込むように促すことをさらに含む、概念１２に記載の有形のコンピュータ可読記憶媒体。
概念１４  前記第１の装置のユーザと前記第２の装置のユーザとの間の可能な関係を判定するための命令をさらに含む、概念１２に記載の有形のコンピュータ可読記憶媒体。
概念１５  前記第１の装置のユーザに対し、前記判定された可能な関係を確認するように促すための命令をさらに含む、概念１４に記載の有形のコンピュータ可読記憶媒体。
概念１６  前記第１の装置のユーザに対し、前記第１のユーザと前記第２の装置の第２のユーザとの間の関係に基づき、前記仮想オブジェクトを前記テレビ会議に組み込むように促すための命令をさらに含む、概念１０〜１５の任意の１つに記載の有形のコンピュータ可読記憶媒体。
概念１７  前記第２の装置において、前記テレビ会議に組み込まれた前記仮想オブジェクトを操作するための命令をさらに含む、概念１０〜１６の任意の１つに記載の有形のコンピュータ可読記憶媒体。
概念１８  前記第１の装置において、前記テレビ会議に組み込まれた前記仮想オブジェクトを操作するための命令をさらに含む、概念１０〜１７の任意の１つに記載の有形のコンピュータ可読記憶媒体。
【図１】
2014532330.tif 000003
【図２】
2014532330.tif 000004
【図３】
2014532330.tif 000005
【図４】
2014532330.tif 000006
【図５】
2014532330.tif 000007
【図６】
2014532330.tif 000008
【図７】
2014532330.tif 000009
【図８】
2014532330.tif 000010
【図９】
2014532330.tif 000011
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
第１の装置と第２の装置との間のテレビ会議を強化するためのコンピュータ実装方法であって、
前記第１の装置において、仮想オブジェクトであって、前記テレビ会議を強化するように構成され、またイベントに具体的に関連している、仮想オブジェクトを受信することと、
前記仮想オブジェクトを前記テレビ会議に組み込むことと、
を含む、コンピュータ実装方法。
【請求項２】
前記イベントは休日および特別な機会からなる群から選択される、請求項１に記載のコンピュータ実装方法。
【請求項３】
前記第１の装置のユーザに対して前記仮想オブジェクトを前記テレビ会議に組み込むように促すことをさらに含む、請求項１に記載のコンピュータ実装方法。
【請求項４】
前記第１の装置のユーザに対して前記仮想オブジェクトを前記テレビ会議に組み込むように前記促すことは、
前記イベントが生じる日の間、前記第１の装置の前記ユーザに対して前記仮想オブジェクトを前記テレビ会議に組み込むように促すことをさらに含む、請求項３に記載のコンピュータ実装方法。
【請求項５】
前記第１の装置のユーザと前記第２の装置のユーザとの間の可能な関係を判定することをさらに含む、請求項１に記載のコンピュータ実装方法。
【請求項６】
前記第１の装置のユーザに対して、前記判定された可能な関係を確認するように促すことをさらに含む、請求項５に記載のコンピュータ実装方法。
【請求項７】
前記第１の装置のユーザに対し、前記第１のユーザと前記第２の装置の第２のユーザとの間の関係に基づいて、前記仮想オブジェクトを前記テレビ会議に組み込むように促すことをさらに含む、請求項１に記載のコンピュータ実装方法。
【請求項８】
前記第２の装置において、前記テレビ会議に組み込まれた前記仮想オブジェクトを操作することをさらに含む、請求項１に記載のコンピュータ実装方法。
【請求項９】
前記第１の装置において、前記テレビ会議に組み込まれた前記仮想オブジェクトを操作することをさらに含む、請求項１に記載のコンピュータ実装方法。
【請求項１０】
実行されるとコンピュータ処理装置に対して、
前記第１の装置において、仮想オブジェクトであって、前記テレビ会議を強化するように構成され、またイベントに対して具体的に関連している、仮想オブジェクトを受信することと、
前記仮想オブジェクトを前記テレビ会議に組み込むことと、
を含む方法を実施させる記憶された命令を上に有する、有形のコンピュータ可読記憶媒体。
【請求項１１】
前記イベントは休日および特別な機会からなる群から選択される、請求項１０に記載の有形のコンピュータ可読記憶媒体。
【請求項１２】
前記第１の装置のユーザに対し、前記仮想オブジェクトを前記テレビ会議に組み込むように促すための命令をさらに含む、請求項１０に記載の有形のコンピュータ可読記憶媒体。
【請求項１３】
前記第１の装置のユーザに対し、前記仮想オブジェクトを前記テレビ会議に組み込むように前記促すことは、
前記イベントが生じる日の間、前記第１の装置の前記ユーザに対し、前記仮想オブジェクトを前記テレビ会議に組み込むように促すことをさらに含む、請求項１２に記載の有形のコンピュータ可読記憶媒体。
【請求項１４】
前記第１の装置のユーザと前記第２の装置のユーザとの間の可能な関係を判定するための命令をさらに含む、請求項１２に記載の有形のコンピュータ可読記憶媒体。
【請求項１５】
前記第１の装置のユーザに対し、前記判定された可能な関係を確認するように促すための命令をさらに含む、請求項１４に記載の有形のコンピュータ可読記憶媒体。
【請求項１６】
前記第１の装置のユーザに対し、前記第１のユーザと前記第２の装置の第２のユーザとの間の関係に基づいて、前記仮想オブジェクトを前記テレビ会議に組み込むように促すための命令をさらに含む、請求項１０に記載の有形のコンピュータ可読記憶媒体。
【請求項１７】
前記第２の装置において、前記テレビ会議に組み込まれた前記仮想オブジェクトを操作するための命令をさらに含む、請求項１０に記載の有形のコンピュータ可読記憶媒体。
【請求項１８】
前記第１の装置において、前記テレビ会議に組み込まれた前記仮想オブジェクトを操作するための命令をさらに含む、請求項１０に記載の有形のコンピュータ可読記憶媒体。
【請求項１９】
第１の装置と第２の装置との間のテレビ会議を強化するためのコンピュータ実装方法であって、
前記第１の装置において、前記テレビ会議を強化することができるオブジェクトを含む仮想オブジェクトであって、前記強化することは前記テレビ会議の参加者間の通信を補完することを含み、前記仮想オブジェクトは少なくとも１つの可視オブジェクトおよび少なくとも１つの音声を含み、前記仮想オブジェクトはイベントに具体的に関連し、前記可視オブジェクトは前記第１の装置および前記第２の装置の少なくとも１つの表示スクリーン上で見ることができ、前記表示スクリーンの選択された位置に配置するように独立して選択的に操作され得る個々の構成要素である、仮想オブジェクトを受信することと、
前記仮想オブジェクトを前記テレビ会議に組み込むことと、
を含む、コンピュータ実装方法。
【請求項２０】
実行されるとコンピュータ処理装置に対して、
前記第１の装置において、前記テレビ会議を強化することができるオブジェクトを含む仮想オブジェクトであって、前記強化することは前記テレビ会議の参加者間の通信を補完することを含み、前記仮想オブジェクトは少なくとも１つの可視オブジェクトおよび少なくとも１つの音声を含み、前記仮想オブジェクトはイベントに具体的に関連し、前記可視オブジェクトは前記第１の装置および前記第２の装置の少なくとも１つの表示スクリーン上で見ることができ、前記表示スクリーンの選択された位置に配置するように独立して選択的に操作され得る個々の構成要素である、仮想オブジェクトを受信することと、
前記仮想オブジェクトを前記テレビ会議に組み込むことと、
を含む方法を実施させる記憶された命令を上に有する、有形のコンピュータ可読記憶媒体。
【国際調査報告】
2014532330.tif 000012
2014532330.tif 000013